(57)【特許請求の範囲】
【請求項１】
人力で運搬できる第１パネルと、第２パネルと、床パネルと、天井パネルと、を有する
組立式ハウスと、
前記組立式ハウスが画定する内部空間に載置される便器と、を備え、
前記第１パネルは、第１側端部を有し、
前記第２パネルは、外縁端を補強するための第２側端部を有し、
前記第１側端部は、前記第２パネルの方向に開口する嵌合溝を画定する嵌合部材を含み、前記第２側端部は、前記嵌合溝に嵌合した状態でスライド可能であり、
前記床パネルは、前記第２パネルを嵌合した状態でスライド可能である床嵌合溝が設けられ、
前記天井パネルは、天井外パネルと、前記天井外パネルの外周縁から下方に向かって垂直に延びる袴パネルと、前記天井外パネルに固定される天井内パネルと、を有し、
前記天井外パネルと、前記袴パネルと、前記天井内パネルは協働して前記天井パネルの外周部に天井嵌合溝を画定し、前記第１パネル、および前記第２パネルは前記天井嵌合溝に嵌合した状態でスライド可能であり、
前記第１側端部は、前記床パネル、および前記天井パネルに着脱可能に固定されること
を特徴とする組立式仮設水洗トイレ。
【請求項２】
前記床パネルは、下床パネルと、前記下床パネルに中間材を介して接続する上床パネルと、を有し、
前記下床パネルは、前記第２パネルの方向に開口する床嵌合溝が画定された床嵌合部材を含み、
前記第２パネルは、前記床嵌合溝に嵌合した状態でスライド可能であり、
前記第１側端部、前記第２側端部、および前記第２パネルはボルトにより着脱可能に固定されるとともに、前記第１側端部、前記第２側端部、前記袴パネル、および前記天井内パネルはボルトにより着脱可能に固定されることを特徴とする請求項１に記載の組立式仮設水洗トイレ。
【発明の詳細な説明】
【技術分野】
【０００１】
組立・分解できるパネル構造の組立式ハウスを備える、組立式仮設水洗トイレに関する。
【背景技術】
【０００２】
イベント会場、工事現場、海水浴場等に仮設トイレが設置されている。近年では、巨大地震、台風等の激甚災害が多発しており、その避難場所では、既設のトイレでは足りず、数多くの仮設トイレが必要となっている。しかし、従来の仮設トイレは、筐体の中に便器等が配置されている一体的なボックス形状のため空体積が大きく、輸送効率の悪いものであった。そのため、1台のトラックで一度に数多くの仮設トイレを運搬することは困難であった。
【０００３】
これらの問題を解決するために、組立・分解が可能な組立式のトイレが提案されている。
【０００４】
特許文献１では、組立および分解が可能であって分解したときには嵩張らず、誰でも利用しやすい組立式仮設トイレが提案されている。この組立式仮設トイレは、六角形の底板と、六角形の天井板と、相互に枢支された５面の側壁板と、これら側壁板のうちの１つに枢支されたドアと、排泄物処理装置が付設された便器とを備えてなる。各側壁の下端及び上端が底板及び天井板の縁に形成された溝に嵌合されることで、各側壁は底板及び天井板に着脱自在に係止される。ここで、底板と、天井板と、各側壁（及びドア）とは六角柱状のトイレ室を形成し、このトイレ室の内部に便器が配置される。さらに、各側壁及びドアは上側部分と下側部分とに２分割された構成となっている。
【０００５】
特許文献２では、嵩張りを抑えて、輸送にかかるコストを低減できるとともに省スペースで保管することができ、本体を折り畳み可能に構成して組み立て・分解が容易にできる組立式仮設トイレが提案されている。この組立式仮設トイレは、折り畳み可能な矩形筒状の本体と、本体の上端開口を閉塞する屋根とを備え、本体が、扉を有する前面板と、後面板と、前面板と後面板とを近接させるように折れ曲がる一対の側面板とを具備し、側面板が、中央支柱と、前面板に連結固定された前側支柱と、一方の側端部が前側支柱と回動自在に連結されるとともに他方の側端部が中央支柱と回動自在に連結される前側板材と、後面板に連結固定された後側支柱と、一方の側端部が中央支柱と回動自在に連結されるとともに他方の側端部が後側支柱と回動自在に連結される後側板材とで構成される。
【先行技術文献】
【特許文献】
【０００６】
【特許文献１】特開平９−４９３４０号公報
【特許文献２】特開２００６−１７７１０５号公報
【発明の概要】
【発明が解決しようとする課題】
【０００７】
しかし、これらの組立式仮設トイレは、本体がヒンジ結合された数枚のパネルで構成された筒状の構造体であることから、本体は、１枚のパネルの数倍の重さとなる。１枚のパネル自体は軽量であったとしても、筐体の重量は重くならざるを得ず、積み込み・積卸・組立等においては、重機を用いざるを得ないと考えられる。また、ヒンジ結合されているため、組立分解を繰り返すことでヒンジ結合部の劣化が予想される。さらに、耐久性が低く、強度が不足し強風に対応できない虞がある。さらに、ヒンジ部分があることにより、雨水の流入が考えられる。
【０００８】
本発明は、これらの問題点に着目してなされたものであり、人力で組立分解ができて、耐久性および耐風性に優れた組立式仮設水洗トイレを提供するものである。
【課題を解決するための手段】
【００１７】
上記課題を解決するための発明は、組立式仮設水洗トイレであって、人力で運搬できる第１パネルと、第２パネルと、床パネルと、天井パネルを有する組立式ハウスと、組立式ハウスが画定する内部空間に載置される便器を備え、第１パネルは、第１側端部を有し、第２パネルは、外縁端を補強するための第２側端部を有し、第１側端部は、第２パネルの方向に開口する嵌合溝を画定する嵌合部材を含み、第２側端部は、嵌合溝に嵌合した状態でスライド可能であり、床パネルは、第２パネルを嵌合した状態でスライド可能である床嵌合溝が設けられ、天井パネルは、天井外パネルと、天井外パネルの外周縁から下方に向かって垂直に延びる袴パネルと、天井外パネルに固定される天井内パネルを有し、天井外パネルと、袴パネルと、天井内パネルは協働して天井パネルの外周部に天井嵌合溝を画定し、第１パネル、および第２パネルは天井嵌合溝に嵌合した状態でスライド可能であり、第１側端部は、床パネル、および天井パネルに着脱可能に固定されることを特徴とする。
【００１８】
この構成によれば、強風等に起因する外力に対して変形が抑制されるとともに、高い耐荷重性能を具備できる。
【００１９】
好ましくは、床パネルは、下床パネルと、下床パネルに中間材を介して接続する上床パネルを有し、下床パネルは、第２パネルの方向に開口する床嵌合溝が画定された床嵌合部材を含み、第２パネルは、床嵌合溝に嵌合した状態でスライド可能であり、第１側端部、第２側端部、および第２パネルはボルトにより着脱可能に固定されるとともに、第１側端部、第２側端部、袴パネル、および天井内パネルはボルトにより着脱可能に固定されることを特徴とする。
【図面の簡単な説明】
【００２３】
【図１】実施形態１における、組立式仮設水洗トイレの全体配置図である。
【図２】同、内部空間の斜視図である。
【図３】同、組立式ハウスの斜視図である。
【図４】同、床パネルの斜視図である。
【図５】同、内部空間から視たフロントパネルの正面図である。
【図６】同、内部空間から視たサイドパネルの正面図である。
【図７】同、天井パネルの斜視図である。
【図８】同、フロントパネルとサイドパネルの組継ぎを説明する斜視図である。
【図９】同、組立式ハウスの嵌合状態を説明する断面図である。
【図１０】実施形態２における、組立式ハウスの斜視図である。
【図１１】同、床パネルの斜視図である。
【図１２】同、サイドパネルの正面図である。
【図１３】同、内部空間から視たフロントパネルの正面図である。
【図１４】天井パネルの構造を説明する斜視図である。
【図１５】床パネル、フロントパネル、サイドパネル、および天井パネルの固定状態を説明する部分正面断面図である。
【図１６】フロントパネルとサイドパネルの嵌合状態を説明する部分平面断面図である。
【発明を実施するための形態】
【００２４】
以下、図１〜９を参照して本発明の実施形態１を詳述する。
【００２５】
図１に示す通り、組立式仮設水洗トイレ１００（以下、仮設トイレ１００という。）は、組立式ハウス１、給水槽６（給水手段）、および汚水槽７（汚水処理手段）を有しており、組立式ハウス１が画定する内部空間１ａに便器２（図２参照）が載置されている。組立式ハウス１、給水槽６、および汚水槽７はそれぞれ独立しており、分離して配置されている。便器２は、給水管６１を介して給水槽６に、また汚水管７１を介して汚水槽７に接続している。
【００２６】
給水槽６は、略立方体の容器６５の上端部に、給水ポンプ６２が配設された構造である。給水ポンプ６２で揚水されて、容器６５に貯留された水は、給水ポンプ６２によって給水管６１を経由して圧送され、洗浄水として適宜、便器２に供給される。なお、本実施形態１では、給水手段として給水槽６を用いたが、近くに河川等の水源がある場合は、水源から給水ポンプ６２で揚水した水を、洗浄水として便器２に直接供給してもよい。
【００２７】
汚水槽７は、略立方体の容器７５の上端部に、汲取り口７２が設けられている。便器２から排出した汚水は汚水管７１を経由して容器７５に貯留され、汲取り口７２から、適宜、汲取られる。また、汚水槽７の上端部に、貯留された汚水から発生する臭気を脱臭する脱臭装置（図示略）を設けることが好ましい。なお、本実施形態１では、汚水処理手段として、汚水槽７を用いたが、近くに下水道がある場合は、汚水を直接下水道に排出してもよい。
【００２８】
図２に示す通り、内部空間１ａには便器２の他に、空気を換気するための換気口３１、および内部を照らすためのライト３２が設けられている。なお、便器２は、洋式の温水洗浄便座である。
【００２９】
図３に示す通り、組立式ハウス１は、略直方体の筐体であり、床パネル１０、フロントパネル２０（第１パネル）、バックパネル３０（第１パネル）、サイドパネル４０（第２パネル）、天井パネル５０を有している。また、サイドパネル４０の側に４個の拘束治具２２が設けられている。
【００３０】
床パネル１０、フロントパネル２０、バックパネル３０、およびサイドパネル４０は主材料がプラスチック製のハニカムボードである。それぞれの重量は、５ｋｇ〜３０ｋｇとすることが好ましい。より好ましくは５ｋｇ〜２０ｋｇである。これにより、パネル自体の軽量化と所定の強度を同時に兼ね備えることができる。また、それぞれのパネルを、作業員が運搬できるので、人力のみでの組立解体作業が可能となる。
【００３１】
図４に示す通り、床パネル１０は、上面に便器２を載置する略矩形の平板であり、下端部に３本の脚部１１を有している。脚部１１は、床凹部１０ｂを画定するとともに、組立式ハウス１を設置面に載置したとき、設置面に接触して組立式ハウス１を支持する。床パネル１０の四方を囲む側面１２は、フロントパネル２０、バックパネル３０、およびサイドパネル４０の内面に接触する。パネル構造を組立てる場合、直角度・水平度の確保が難しいが、側面１２に沿ってフロントパネル２０、バックパネル３０、およびサイドパネル４０を配設することで、簡単に位置決めできるので、組立式ハウス１を容易に組立できる。
【００３２】
第１パネルは、対向して配設されるフロントパネル２０、およびバックパネル３０を有する。図５に示す通り、フロントパネル２０は、中央部に扉２１が設けられた略矩形の平板である。扉２１は回動式のドアノブを有する外開き式であり、内部空間１ａ側からは手動で、外側からは鍵でロックできる構造である。
【００３３】
第１側端部２７は、外面側に外部材２５ａが、内面側に内部材２５ｂが固定されている。外部材２５ａ、内部材２５ｂは断面がＬ字形の部材であり、これらは、協働して嵌合溝２５を画定する（図８参照）。第１側端部２７の仕口は、第１突出部２６ａと第１陥没部２６ｂが交互に設けられた凹凸形状となっている。外部材２５ａ、および内部材２５ｂは金属製であることが好ましい。これにより嵌合部の耐久性が向上するとともに、耐荷重性能が向上する。
【００３４】
下端部は、内部空間１ａ側に向かって垂直に突出する床凸部１０ａが設けられている。床凸部１０ａは、床パネル１０に設けられた床凹部１０ｂにスライド自在に嵌合する。
【００３５】
上端部は、内部空間１ａ側に向かって垂直に突出する天井凸部５０ａが設けられている。天井凸部５０ａは、天井パネル５０に設けられた天井スリット５０ｂに遊びを持った状態でスライド自在に嵌合する。バックパネル３０は、扉２１を除いて、フロントパネル２０とほぼ同じ構成であることから、説明は省略する。
【００３６】
第２パネルは、対向して配設される一対のサイドパネル４０、４０を有する。図６に示す通り、サイドパネル４０は、略矩形の平板である。また、第２側端部４７の仕口は、第２突出部４６ａと第２陥没部４６ｂが交互に設けられた凹凸形状となっている。第２突出部４６ａは、第１陥没部２６ｂに対応する位置に、第２陥没部４６ｂは、第１突出部２６ａに対応する位置に設けられる。
【００３７】
図７に示す通り、天井パネル５０は、袴パネル５１、天井外パネル５２、および天井内パネル５３を有している。袴パネル５１は中央部が開口した矩形の平板部５１ａと、平板の外縁から垂直に延びる袴部５１ｂで構成されている。袴部５１ｂは、フロントパネル２０、バックパネル３０、およびサイドパネル４０の上端部の外面を覆った状態で配設される。これにより風雨等による内部空間１ａへの水の侵入を抑制できる。
【００３８】
天井外パネル５２は、矩形の平板であり、内面はフロントパネル２０、バックパネル３０、およびサイドパネル４０の上端部に接触し、外面は平板部５１ａの内面に固定されている。天井内パネル５３は、天井外パネル５２の下方に配設されており、天井内パネル５３の四隅に固定される接続部材５４を介して、天井外パネル５２に固定されている。天井外パネル５２、天井内パネル５３、および接続部材５４は協働して天井スリット５０ｂを画定している。接続部材５４と、接続部材５４に対向して配設される天井凸部５０ａは、端部同士が接続している。また、天井凸部５０ａと、天井外パネル５２、および天井内パネル５３とは若干の隙間が設けられている。これにより、天井凸部５０ａは、上下方向に遊びを持った状態で天井スリット５０ｂとスライド自在に嵌合する構造となっている（図９参照）。
【００３９】
天井外パネル５２、および天井内パネル５３は半透明の合成樹脂製であることが好ましい。これにより屋外の光を内部空間１ａに取り入れることができる。
【００４０】
仮設トイレ１００の組立・解体手順について説明する。
【００４１】
組立式ハウス１を個々のパネルの状態で搬送して、床パネル１０を、設置場所に載置する。設置場所は、地面上、床面上を問わないが、組立式ハウス１を組立てたとき、安定が担保できる平坦な場所が好ましい。
【００４２】
フロントパネル２０に設けられた床凸部１０ａを、床パネル１０に設けられた床凹部１０ｂに挿入して嵌合する。これにより、フロントパネル２０は、床パネル１０の側面１２に接した状態で自立する。
【００４３】
フロントパネル２０に設けられた嵌合溝２５に、サイドパネル４０を挿入して嵌合する。これにより、サイドパネル４０は、床パネル１０の側面１２に接した状態で自立する。このとき、第１側端部２７、第２側端部４７の仕口同士は組継ぎ接合され、フロントパネル２０とサイドパネル４０の上下方向の相対変位はより強固に拘束される。
【００４４】
組立てられて、平面視でコ字形となったフロントパネル２０、およびサイドパネル４０の上端に天井パネル５０を載置する。このとき、天井スリット５０ｂと、天井凸部５０ａは上下方向に遊びをもった状態で嵌合する。
【００４５】
バックパネル３０を若干寝かした状態で、バックパネル３０に設けられた床凸部１０ａを床凹部１０ｂに挿入する。バックパネル３０を回動して縦起ししながら、嵌合溝２５をサイドパネル４０に下方から上方に向けて徐々に嵌合するとともに、バックパネル３０に設けられた天井凸部５０ａを天井スリット５０ｂに挿入する。このときバックパネル３０は回動を伴っていることから、挿入するとき天井凸部の上下端は、上下の変位を伴いながら天井スリット５０ｂに挿入される。天井スリット５０ｂと天井凸部５０ａは上下方向に若干の隙間があることで、円滑に挿入されて、上下方向に遊びをもった状態で嵌合される。バックパネルの側端部（図示略）の仕口と、第２側端部４７の仕口同士は、同様に組継ぎ接合される。サイドパネル４０の側に設けられた４個の拘束治具２２を締めることで、サイドパネル４０と、フロントパネル２０およびバックパネル３０の水平方向の相対変位はより強固に拘束される。
【００４６】
その後、内部空間１ａに便器２を設置し、給水管６１を便器２と給水槽６に、汚水管７１を便器２と汚水槽７に接続して仮設トイレ１００の組立は完了する。
【００４７】
解体は、上述した手順を逆から行えばよい。組立式ハウス１は、大きさがほぼ同じとなるフロントパネル２０およびバックパネル３０、並びに一対のサイドパネル４０、４０、並びに床パネル１０および天井パネル５０のみで構成されて、補強材等の極端に小さな部材は用いられていない。そのため、小さな部材の紛失はなく、保管管理が容易である。
【００４８】
上述した通り、本実施形態１における組立式ハウス１は、それぞれのパネル同士を、挿入・嵌合して、４個の拘束治具を締め付けることで容易に短時間に組立できる。しかも組立の為のボルトは要さない。また、床パネル１０、フロントパネル２０、バックパネル３０、サイドパネル４０、および天井パネル５０はそれぞれ嵌合し、さらにフロントパネル２０とバックパネル３０は組継ぎ接合されているので、強風に耐えうる強固な構造となっている。
【００４９】
図１０〜１４を参照して本発明の実施形態２を詳述する。
【００５０】
実施形態１と共通する部分についての説明は省略し、主に相違点について説明する。また、実施形態１と共通する構成については同一の符号を付し、異なる構成については２００番台の符号を付す。
【００５１】
図１０に示す通り、組立式ハウス２０１は、略直方体の筐体であり、床パネル２１０、フロントパネル２２０（第１パネル）、バックパネル２３０（第１パネル）、一対のサイドパネル２４０（第２パネル）、天井パネル２５０を有している。
【００５２】
床パネル２１０、フロントパネル２２０、バックパネル２３０、サイドパネル２４０は、ボルト２６１で相互に固定され、また、天井パネル２５０、フロントパネル２２０、バックパネル２３０、サイドパネル２４０は、アイボルト２６２で相互に固定されている。
【００５３】
床パネル２１０、フロントパネル２２０、バックパネル２３０、およびサイドパネル２４０は主材料がプラスチック製のハニカムボードである。それぞれの重量は、５ｋｇ〜３０ｋｇとすることが好ましい。より好ましくは５ｋｇ〜２０ｋｇである。これにより、パネル自体の軽量化と所定の強度を同時に兼ね備えることができる。さらに、それぞれのパネルを、作業員が運搬できるので、人力のみでの組立解体作業が可能となる。また、それぞれのパネルの外縁端は、所定の耐久性を確保するために補強されていることが好ましい。
【００５４】
図１１に示す通り、床パネル２１０は、下床パネル２１１と上床パネル２１３が中間部材２１２を介して接続する構造である。また、上面に便器２が載置されている。
【００５５】
下床パネル２１１は、側面側２１０ａ、２１０ａに対向して設けられる床嵌合部材２１５を有している。床嵌合部材２１５は、サイドパネル２４０をスライド自在に嵌合する床嵌合溝２１５ａが設けられている。
【００５６】
上床パネル２１３は、側面側２１０ａ、２１０ａに対向して設けられる固定板２１６を有している。固定板２１６は、フロントパネル２２０、バックパネル２３０、サイドパネル２４０をボルト２６１で固定するためのネジ穴２１７が設けられている。
【００５７】
サイドパネル２４０は、フロントパネル２２０側、およびバックパネル２３０側の端部に、第２側端部２４７を有する略矩形の平板であり、外縁端は補強部材２４０ａで補強されている（図１０、１２参照）。第２側端部２４７は、ボルト２６１、およびアイボルト２６２を貫通させるための貫通穴２４７ａが設けられている。
【００５８】
図１３に示す通り、フロントパネル２２０は、略矩形の平板であり側面側２１０ａの端部に第１側端部２２７を有している。第１側端部２２７は、フロントパネル２２０の側面側２１０ａの端部に上下方向に沿って延びる嵌合部材２２５を有している。嵌合部材２２５は、サイドパネル２４０をスライド自在に嵌合する嵌合溝２２５ａが設けられている。なお、バックパネル２３０も同様の構造である。第２側端部２４７は、嵌合溝２２５ａに挿入されることで、嵌合溝２２５ａとスライド自在に嵌合ずる（図１６参照）。
【００５９】
図１４に示す通り、天井パネル２５０は、袴パネル２５１、天井外パネル２５２、および天井内パネル２５３を有している。天井外パネル２５２と天井内パネル２５３は、中間部材２５４を介して固定されている。袴パネル２５１、天井外パネル２５２、および天井内パネル２５３によって、天井嵌合溝２５０ａが画定される。
【００６０】
天井外パネル２５２は、略矩形の平板であり、天井外パネル２５２の外周縁から下方に向かって垂直に延びる袴パネル２５１が固定されている。
【００６１】
天井内パネル２５３は、略矩形の平板であり、側面側２１０ａ、２１０ａに対向して設けられる固定板２５７を有している。固定板２５７は、嵌合部材２２５を固定するためのネジ穴２５７ａが設けられている。また、袴パネル２５１は、ネジ穴２５７ａに対応する位置に貫通穴２５１ａが設けられている。
【００６２】
仮設トイレ２００の組立・解体手順について説明する。
【００６３】
組立式ハウス２０１を個々のパネルの状態で搬送して、床パネル２１０を、設置場所に載置する。設置場所は、地面上、床面上を問わないが、組立式ハウス１を組立てたとき、安定が担保できる平坦な場所が好ましい。
【００６４】
床嵌合溝２１５ａにサイドパネル２４０を挿入させて、床嵌合部材２１５と嵌合させる。これにより床パネル２１０とサイドパネル２４０は固定される。
【００６５】
嵌合溝２２５ａに第２側端部２４７を挿入させて、サイドパネル２４０とフロントパネル２２０を嵌合させる。同様の手順で、バックパネル２３０とサイドパネル２４０を嵌合させる。これにより、床パネル２１０、サイドパネル２４０、フロントパネル２２０、およびバックパネル２３０は相互に固定された状態となる。
【００６６】
天井嵌合溝２５０ａに、サイドパネル２４０、フロントパネル２２０、およびバックパネル２３０の上端部を挿入させて、天井パネル２５０をサイドパネル２４０、フロントパネル２２０、およびバックパネル２３０に嵌合させる。これにより、それぞれのパネルは相互に勘合状態となる。
【００６７】
ボルト２６１で、フロントパネル２２０の嵌合部材２２５とサイドパネル２４０と床パネル２１０を固定するとともに、アイボルト２６２で、嵌合部材２２５とサイドパネル２４０と天井パネル２５０を固定する（図１４参照）。これにより、それぞれのパネルが相互にスライドすることが回避されて、それぞれのパネルはより強固に固定される。
【００６８】
解体は、上述した手順を逆から行えばよい。
【産業上の利用可能性】
【００６９】
本発明に係る仮設トイレは、それぞれのパネルの重さを適切に設定することで、重機を要さず簡単に組立解体できる。また、耐久性・耐荷重性能が高く、快適に使用できることから、産業上の利用可能性は大である。
【符号の説明】
【００７０】
１、２０１：組立式ハウス
２：便器
６：貯水槽（給水手段）
７：汚水槽（汚水処理手段）
１０、２１０：床パネル
１０ａ：床凸部
１０ｂ：床凹部
２０、２２０：フロントパネル
２２：拘束治具
２５、２２５ａ：嵌合溝
２７、２２７：第１側端部
３０、２３０：バックパネル
４０、２４０：サイドパネル
４７、２４７：第２側端部
５０、２５０：天井パネル
５０ａ：天井凸部
５０ｂ：天井スリット
２１５ａ：床嵌合溝
２５０ａ：天井嵌合溝
【要約】      （修正有）【課題】作業性がよく、保管管理が簡単で、耐久性および耐風性に優れた組立式仮設水洗トイレを提供する。【解決手段】組立式仮設水洗トイレは、組立式ハウス１、給水槽（給水手段）、および汚水槽（汚水処理手段）を有しており、組立式ハウス１が画定する内部空間に便器が配設されている。組立式ハウス１は、床パネル１０、フロントパネル２０、バックパネル３０、一対のサイドパネル４０、４０、天井パネル５０を有しており、それぞれはスライド自在に嵌合する構造である。さらに、フロントパネル２０、バックパネル３０、一対のサイドパネル４０、４０は組継ぎ接合されている。【選択図】図３【図１】
0006856287.tif 000002
【図２】
0006856287.tif 000003
【図３】
0006856287.tif 000004
【図４】
0006856287.tif 000005
【図５】
0006856287.tif 000006
【図６】
0006856287.tif 000007
【図７】
0006856287.tif 000008
【図８】
0006856287.tif 000009
【図９】
0006856287.tif 000010
【図１０】
0006856287.tif 000011
【図１１】
0006856287.tif 000012
【図１２】
0006856287.tif 000013
【図１３】
0006856287.tif 000014
【図１４】
0006856287.tif 000015
【図１５】
0006856287.tif 000016
【図１６】
0006856287.tif 000017